(57)【特許請求の範囲】
【請求項１】
本体ケース１の上部に切断ヘッド２を設けてあり、
網目状の外刃２５と、これの内面に摺接するよう互いに平行に装備した２本または３本のシリンダ状の回転内刃２３とを備えた剃り刃ユニット３を有し、
剃り刃ユニット３は、切断ヘッド２から突設されて相対向する左右一対の支持壁４ａ・４ｂ間に、回転内刃２３の回転軸心と平行な軸心Ｐを中心に揺動自在に枢支されており、
切断ヘッド２には、モータ７と、モータ出力軸７ａに連動連結されたギヤ伝動機構８とを装備し、
このギヤ伝動機構８の最終伝動ギヤ２０と、各回転内刃２３に一体化した入力ギヤ２７とがそれぞれ噛み合い連動しており、
最終伝動ギヤ２０の軸心と前記剃り刃ユニット３の揺動軸心Ｐとを一致させてあることを特徴とするロータリ式電気かみそり。  
【発明の詳細な説明】
【０００１】
【産業上の利用分野】
本発明は、シリンダ状の回転内刃を備えたロータリ式電気かみそりに関する。
【０００２】
【従来の技術】
この種のロータリ式電気かみそりは、たとえば特開平６−３０４３４６号公報にみられるように、周面に多条の螺旋切刃を備えたシリンダ型の回転内刃をアーチ状に配備された外刃に対して摺接回転させるので、螺旋切刃の走行による滑らかで均一な切れ味を外刃の全切断作用域で発揮させることができ、往復動型の電気かみそりに比べて駆動時に振動および駆動音が少ない利点を有する。
【０００３】
【発明が解決しようとする課題】
しかし、上記のロータリ式電気かみそりでは外刃、回転内刃、内刃駆動用モータとを備えた切断ヘッドが本体ケースに対して向きを変更できない構造となっている。そのために、顔の凹凸や顎下などの剃りにくい部分では、手首を微妙に動かして本体ケースごと切断ヘッドの向きを変えながら、肌に沿わせて移動しなければならない煩わしさがあり、この点で更に改良の余地があった。
そこで本発明の目的は、シリンダ状の回転内刃を備えた剃り刃ユニットを首振り可能に構成することで、顔の凹凸や顎下などの剃りにくい部分での取扱いを容易にすることができるロータリ式電気かみそりを提供するにある。
本発明の目的は、首振りのための構造を簡単かつコンパクトに構成することのできるロータリ式電気かみそりを提供するにある。
【０００４】
【課題を解決するための手段】
本発明は、本体ケース１の上部に切断ヘッド２を設け、網目状の外刃２５とこれの内面に摺接するシリンダ状の回転内刃２３とを備えた剃り刃ユニット３を、前記切断ヘッド２から突設されて相対向する左右一対の支持壁４ａ・４ｂ間に回転内刃２３の回転軸心と平行な軸心Ｐを中心に揺動自在に枢支する。前記切断ヘッド２には、モータ７と、モータ出力軸７ａに連動連結されたギヤ伝動機構８を装備し、ギヤ伝動機構８の最終伝動ギヤ２０と前記回転内刃２３に一体化した入力ギヤ２７とを噛み合い連動させ、この最終伝動ギヤ２０の軸心と前記剃り刃ユニット３の揺動軸心Ｐとを一致させてあることを特徴とする。更に、剃り刃ユニット３に一対の回転内刃２３を平行に装備し、各回転内刃２３の入力ギヤ２７をギヤ伝動機構８の最終伝動ギヤ２０にそれぞれ噛み合い連動させる。
【０００５】
【作用】
剃り刃ユニット３は最終伝動ギヤ２０から動力を受けながら最終伝動ギヤ２０の軸心を中心に揺動し、顔の凹凸や顎下などの剃りにくい部分においても剃り刃ユニット３の首振り揺動で滑らかに肌に沿わせて移動させることができる。モータ７およびギヤ伝動機構８を備えた切断ヘッド２自体は、首振り揺動しないので、切断ヘッド２の揺動スペースを本体ケース１内に確保する必要がない。
【０００６】
剃り刃ユニット３は最終伝動ギヤ２０の軸心を中心として揺動するため、最終伝動ギヤ２０から回転駆動を受ける剃り刃ユニット３側に配した回転内刃２３の入力ギヤは、剃り刃ユニット３がどの位置に首振り揺動しても、最終伝動ギヤ２０まわりとの噛み合いを保ちながら揺動し、首振り揺動によるギヤまわりからの騒音発生やガタつき等が生じることなく、確実に回転駆動力が伝達される。
剃り刃ユニット３の肌への接触点が２箇所現出されるために、この２箇所の接触点が肌になじむことで、剃り刃ユニット３が肌に沿った姿勢となるように剃り刃ユニット３これ自体が勝手に首振り揺動する。
【０００７】
【実施例】
図１および図２において、このロータリ式電気かみそりは、前後二つ割り構造の本体ケース１の上部に切断ヘッド２を備えており、この切断ヘッド２に剃り刃ユニット３が組み付けてある。
図１および図３において切断ヘッド２は、本体ケース１の上部に前後から抱き込み支持されて上方に突出しており、一定範囲で上下動可能に支持されたヘッドケース４、ヘッドケース４の左右外側に装着されたカバー５ａ・５ｂ、ヘッドケース４の下部にブラケット６を介して縦姿勢で取り付けられたモータ７、モータ出力を剃り刃ユニット３に伝達するように一方のカバー５ａ内に配備された多段のギヤ伝動機構８などからなる。
【０００８】
この切断ヘッド２は、ヘッドケース４の下部から左右に延出した薄肉アーム９の各先端ピン９ａが本体ケース１に差し込み固定されるとともに、ヘッドケース４の下部と本体ケース１のバネ受け１０との間に圧縮コイルバネ１１が組付けられ、もって切断ヘッド２全体が薄肉アーム９と圧縮コイルバネ１１を介して本体ケース１に対して上下に浮動自在に弾性支持されている。なお、ヘッドケース４の左右支持壁４ａ・４ｂの上部間にはステー１２が架設されて左右支持壁４ａ・４ｂが補強されている。
【０００９】
図３において、モータ７の上端に突出されたモータ出力軸７ａの回転出力が、ヘッドケース４の左右の支持壁４ａ・４ｂにわたって水平に架設された回転軸１３にギヤ１４・１５を介して伝達された後、回転軸１３の一端から前記伝動機構８に伝達される。この伝動機構８は、回転軸１３の一端に固着された第１伝動ギヤ１６、これに噛み合う第２伝動ギヤ１７、第２伝動ギヤ１７に一体連設された第３伝動ギヤ１８、この第３伝動ギヤ１８に噛み合う第４伝動ギヤ１９、および第４伝動ギヤ１９に噛み合う最終伝動ギヤ２０とからなる。
【００１０】
図６において剃り刃ユニット３は、ユニットケース２１と、該ユニットケース２１の左右に係止爪２２ａを介して連結された内刃ホルダー２２と、左右の内刃ホルダー２２間に互いに平行に軸支された一対のシリンダ状の回転内刃２３と、外刃ホルダー２４を介してアーチ状に張設した網目状の外刃２５等から構成されている。一方の係止爪２２ａは、図３中に示すカバー５ｂに備えた係止解除ボタン３０を押し込み操作することで後退変形されるようになっており、これでユニットケース２１との係止を解除して内刃ホルダー２２を回転内刃２３ごと取り外すことができる。各回転内刃２３における支軸２６の一端が内刃ホルダー２２を貫通して一方のカバー５ａ内に突出しており、その突出端に固着された入力ギヤ２７が、前記伝動機構８の最終伝動ギヤ２０に噛み合っている。
【００１１】
図４において、各回転内刃２３に対する２枚の外刃２５は、それぞれ外刃ホルダー２４に外刃張り機能を備えたエンドピース２８・２９を介して係止保持されている。外刃ホルダー２４これ自体は、剃り刃ユニット３におけるユニットケース２１の前後端部に弾性係止爪３１を介して着脱自在に係止連結されている。なお、前記エンドピース２８を外刃ホルダー２４に係止する爪部２８ａは外刃ホルダー２４の下端から突出され、この爪部２８ａを外部から指先で押し込み操作することで弾性係止爪３１を後退させて外刃ホルダー２４を外刃２５ごとユニットケース２１から取り外せる。
【００１２】
上記構成のロータリ式電気かみそりでは、モータ７およびギヤ伝動機構８を備えた切断ヘッド２に対して剃り刃ユニット３のみが、図５に示すギヤ伝動機構８における最終伝動ギヤ２０の軸心Ｐを中心に首振り揺動することで、顔の凹凸や顎下などの剃りにくい部分にも剃り刃ユニット３が容易に追従する。
上記実施例ではダブル内刃型を例示したが、３本の回転内刃２３を平行に配列装備したトリプル内刃型にも適用できる。前記モータ７はヘッドケース４の下部に縦姿勢に取り付けるに代えて、図７に示すごとく横姿勢に取り付けてもよい。
【００１３】
【発明の効果】
本発明によれば、ロータリ式の利点である低振動、低騒音、および滑らかで広範囲に亘る均一な切れ味を確保しながら、剃り刃ユニット３を首振り揺動させて顔の凹凸や顎下などの剃りにくい部分にも滑らかに移動させることができ、使い勝手が頗る良好である。
剃り刃ユニット３のみを首振り揺動させて、モータ７およびギヤ伝動機構８を揺動させない構成を採用することで、首振り構造物を最小限の大きさにすることができ、切断ヘッド２これ全体を首振り揺動させる場合に比較して、コンパクトにまとめることができる。
更に、ダブル内刃により２点接触によって剃り刃ユニット３を肌に沿わせて容易に首振り揺動させることができ、上記の効果をより一層効果的に発揮できる。
【図面の簡単な説明】
【図１】本発明に係る電気かみそりの全体斜視図である。
【図２】全体側面図である。
【図３】切断ヘッド部の縦断正面図である。
【図４】切断ヘッド部の縦断側面図である。
【図５】内刃駆動用の伝動機構を示す側面図である。
【図６】剃り刃ユニットの縦断正面図である。
【図７】他の実施例を示す切断ヘッド部の縦断正面図である。
【符号の説明】
１  本体ケース
２  切断ヘッド
３  剃り刃ユニット
７  モータ
７ａ  出力軸
８  ギヤ伝動機構
２０  最終伝動ギヤ
２３  回転内刃
２５  外刃
２７  入力ギヤ
Ｐ  軸心
【図１】
0003580590.tif 000002
【図２】
0003580590.tif 000003
【図３】
0003580590.tif 000004
【図４】
0003580590.tif 000005
【図５】
0003580590.tif 000006
【図６】
0003580590.tif 000007
【図７】
0003580590.tif 000008